(57)【特許請求の範囲】
【請求項１】
両肩掛けの間に衿回しが隆起するハンガー本体に、洗濯物の前後両身頃が水分で互いにくっつかないように、両身頃の間に介入する通気性障害物を垂れ下げると共に、その通気性障害物がハンガー本体に全体的に被さる逆袋状の網であって、衿回しを被覆する衿当りを備え、その網の両肩当たりに滑止めを設け、さらにハンガー本体に、洗濯物の前後を大幅に離すための風船を取り付けてなることを特徴とする物干しハンガー。
【発明の詳細な説明】
【０００１】
【発明の属する技術分野】
この発明は、洗濯したワイシャツ等の上着やワンピースを乾かすために使用する物干しハンガーに関する。
【０００２】
【従来の技術】
ワイシャツ等の薄手生地の洗濯物を乾かすには、多くの場合、両肩を掛けるハンガーが用いられるが、その場合に、生地に含まれる水分の粘着力により後身頃と前身頃とが互いにくっつき容易に離れないことがあり、そのままでは乾きが悪いだけでなく、歪んだ型崩れのまま乾かすことになるので、掛ける際に離れるように洗濯物が整えられる。
【０００３】
殊に、クリーニング店から洗濯物に付けて提供される簡易なハンガーを使用すると、それが薄手であるために洗濯物が前後でこのようにくっつきやすい。しかし、このような簡易な薄手のハンガーを使用すると、ジャケットを掛けるような大型のハンガーに比べて、軽く取扱いに都合がよく、嵩張らないので仕舞うのにも便利である。
【０００４】
また、洗濯機では、生地を傷めるおそれがあるために、特に薄いウール生地等では、中性洗剤の水または温水にしばらく漬け置きしてから軽く濯ぎ、搾らないでびしょ濡れのまま水雫を落としながらハンガーに掛けて乾かされることがある。しかも、こうすると、脱水に伴うしわが生じないだけでなく、生地に含まれる水分の重力により干し物に張りが生じることから、乾いた時にワイシャツ等ではアイロンがけも不要で直ぐにきちんと着られるために、一挙両得で賢い干し方ではあるが、びしょ濡れの多量の含有水分により後身頃と前身頃との吸着が生じやすく、離しても又直ぐに付着するので、ハンガーにかける際に形を整える作業が厄介となるという問題があった。
【０００５】
【発明が解決しようとする課題】
この発明は、上記のような実情に鑑みて、ワイシャツ等の洗濯物を掛ける肩掛け部分が薄手の形状であっても、洗濯物が後身頃と前身頃とで水分により吸着しないために、洗濯物の形を整えやすく、しかも、乾きが早くなる物干しハンガーを提供することを目的とした。
【０００６】
【課題を解決するための手段】
上記の目的を達成するために、この発明は、両肩掛けの間に衿回しが隆起するハンガー本体に、洗濯物の前後両身頃が水分で互いにくっつかないように、両身頃の間に介入する通気性障害物を垂れ下げると共に、その通気性障害物がハンガー本体に全体的に被さる逆袋状の網であって、衿回しを被覆する衿当りを備え、その網の両肩当たりに滑止めを設け、さらにハンガー本体に、洗濯物の前後を大幅に離すための風船を取り付けてなることを特徴とする物干しハンガーを提供するものである。
【０００７】
【作  用】
物干しハンガーを上記のように構成したから、ワイシャツ等の洗濯物を水分が多量に含んだままこれに掛けても、通気性障害物により前後両身頃が離されるため、水分によりくっつくという不都合がなく、形を整えやすい。また、型崩れやしわもなく早く乾くことになる。
【０００８】
【発明の実施の形態】
次に、この発明の実施の形態を図面に基づいて説明する。
【０００９】
図１及び図２は一実施の形態を示したもので、その物干しハンガーＨは、軟質樹脂のチューブで被覆された線材を曲げ加工して作られたハンガー本体１と、それに掛ける網製の通気性障害物２との組み合わせからなっている。
【００１０】
ハンガー本体１については、線材の一端と他端近くとを撚り合わせて連結し、その連結部３よりも上において、線材の他端を反転させてフック４を形成し、連結部３よりも下の輪を左右均等に広げて肩掛け５，５を形成してある。また、洗濯物７がずれ落ちないように、両肩掛け５，５の上縁を水平に近い横伸びとなし、中央部に衿回し９を隆起させてある。したがって、ワイシャツ等の洗濯物７の上ボタンを止めてあると、衿１１がこの衿回し９にずれないように嵌まり安定し、衿回し９の急な隆起により衿１１がきちんとなる。
【００１１】
通気性障害物２は、合成繊維から編成された網を素材として、それを逆袋形であって衿回し９にも被さる衿当り１３を有する形状に縫製したもので、その上端にフック４の突出穴１５を設けることにより、ハンガー本体１にこの網が被着され、外れないように部分的に結糸により止められている。また、肩掛け５，５の肩当たりには滑止め１７，１７が逢着され、これには、ベルベット式ファスナーの素材が使用される。
【００１２】
図１は、二点鎖線の仮想線でワイシャツの洗濯物７を干した状態を示したものである。図示の如く、胸当たりの位置から肩当たりに掛けて、中に網の通気性障害物２が入り込んでいる干し方になるため、びしょ濡れのまま掛けても、前身頃と後身頃とがこの網により隔絶され、また、それよりも下では離れがそのまま及ぶため、洗濯物７の中が空っぽになって通気性が良くなり早く乾燥する。
【００１３】
また、脱水しないでびしょ濡れのままワイシャツを掛けても、前後でくっつかないために形を整えやすく、脱水に伴うしわを伸ばすという手間も省ける。しかも、水分の重力で生地にアイロンがけと同様に張りが生じ、滑止め１７，１７により肩線の下がりが止められ、ずれも防止されるため、しわもなく形が整ったまま乾くので、乾いただけでそのままきちんと着用できる。また、衿回し９にも網が被さって、網の衿当り１３が形成されているので、衿も整えやすくその乾きも早い。
【００１４】
図２は上記実施例物干しハンガーの分解斜視図で、洗濯物７の前後を大幅に離すために、風船１２をハンガー本体１の両側に取り付けてある。なお、風船１２は、プラスチックのチューブを溶着して２個が一体に作られ、二つ折りによりハンガー本体１に掛けて取り付けられる。これにより早く乾くことになる。
【００１５】
図３は、上記の実施形態と同様の考えによるものであるが、ハンガー本体１に通気性障害物２を一体に形成したものである。つまり、ハンガー本体１をプラスチックにより成形するときに通気性障害物２を一体に形成した。その通気性障害物２は、多数の垂下片２ａ，２ａ，・・からなる簾状であるが、洗濯物を離しやすいように、各垂下片２ａには前後方向に幅を持たせてある。また、取扱いやすくするために、ハンガー本体１は硬質プラスチックであるが、垂下片２ａ，２ａ，・・は軟質プラスチックで成形されている。
【００１６】
【発明の効果】
以上説明したように、この発明の物干しハンガーによれば、ワイシャツ等の洗濯物を掛ける肩掛け部分が薄手の形状であっても、洗濯物が後身頃と前身頃とで水分により吸着しないために、洗濯物の形を整えやすく、アイロン掛けが不要となるびしょ濡れからの干し方に適し、しかも、乾きが早くなるという優れた効果がある。
【００１７】
また、通気性障害物が逆袋状の網であって、これにより衿当りが形成されていると、衿を含めて全体的に洗濯物を整えやすいという効果が特に顕著となる。
【図面の簡単な説明】
【図１】  この発明の一実施の形態を示す物干しハンガーの正面図である。
【図２】  同物干しハンガーの分解斜視図である。
【図３】  他の実施の形態を示す物干しハンガーの正面図である。
【符号の説明】
Ｈ  物干しハンガー
１  ハンガー本体
２  通気性障害物
５  肩掛け
７  洗濯物
９  衿回し
１２  風船
１３  衿当り
１７，１７  滑止め
【図１】
0004005822.tif 000002
【図２】
0004005822.tif 000003
【図３】
0004005822.tif 000004